【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】
データ提供装置からデータ処理装置にコンテンツデータを配給し、管理装置によって前記データ提供装置および前記データ処理装置を管理するデータ提供システムにおいて、
前記管理装置は、暗号化されたコンテンツ鍵データと前記コンテンツデータの取り扱いを示す暗号化された権利書データとを格納したキーファイルを作成し、
前記データ提供装置は、前記コンテンツ鍵データを用いて暗号化されたコンテンツデータを格納したコンテンツファイルと、前記管理装置から受けた前記キーファイルとを格納したモジュールを、所定の通信プロトコルを用いて当該通信プロトコルに依存しない形式で、あるいは記録媒体に記録して前記データ処理装置に配給し、
前記データ処理装置は、前記配給を受けた前記モジュールに格納された前記コンテンツ鍵データおよび前記権利書データを復号し、当該復号した権利書データに基づいて、前記コンテンツデータの取り扱いを決定する
データ提供システム。
【請求項２】
前記管理装置は、前記キーファイルの作成者の正当性を検証するための署名データを生成し、当該署名データをさらに格納した前記キーファイルを作成する
請求項１に記載のデータ提供システム。
【請求項３】
前記データ提供装置は、前記コンテンツ鍵データおよび前記権利書データを生成して前記管理装置に送信し、
前記管理装置は、受信した前記コンテンツ鍵データおよび前記権利書データに基づいて前記キーファイルを作成し、当該作成したキーファイルを登録する
請求項１に記載のデータ提供システム。
【請求項４】
前記管理装置は、配信用鍵データを用いて暗号化した前記コンテンツ鍵データおよび前記権利書データを格納した前記キーファイルを作成し、
前記配信用鍵データを前記データ処理装置に配給する
請求項１に記載のデータ提供システム。
【請求項５】
前記管理装置は、前記権利書データの文法を記述したデータをさらに格納した前記キーファイルを作成する
請求項１に記載のデータ提供システム。
【請求項６】
前記管理装置は、前記コンテンツファイルおよび前記キーファイルを読み込むための情報を示すデータであるファイルリーダを前記データ処理装置に配給し、
前記データ処理装置は、前記ファイルリーダに基づいて、前記コンテンツファイルおよび前記キーファイルの読み込みを行う
請求項１に記載のデータ提供システム。
【請求項７】
前記データ提供装置は、前記コンテンツファイルおよび前記キーファイルを読み込むための情報を示すデータであるファイルリーダをさらに格納した前記モジュールを前記データ処理装置に配給し、
前記データ処理装置は、前記ファイルリーダに基づいて、前記コンテンツファイルおよび前記キーファイルの読み込みを行う
請求項１に記載のデータ提供システム。
【請求項８】
前記データ処理装置は、前記権利書データに基づいて、前記コンテンツデータの購入形態および利用形態の少なくとも一方を決定する
請求項１に記載のデータ提供システム。
【請求項９】
前記データ処理装置は、前記権利書データに基づいて、前記配給を受けたコンテンツデータの購入形態および利用形態の少なくとも一方を決定し、当該決定した購入形態および利用形態の少なくとも一方の履歴を示す履歴データを前記管理装置に送信し、
前記管理装置は、受信した前記履歴データに基づいて、前記データ処理装置における前記コンテンツデータの前記購入および前記利用に伴って得られた利益を、前記データ提供装置の関係者に分配するための利益分配処理を行う
請求項１に記載のデータ提供システム。
【請求項１０】
前記データ提供装置は、複数の前記コンテンツファイルと、当該複数のコンテンツファイルにそれぞれ対応する複数のキーファイルとを格納したモジュールを前記データ処理装置に配給し、
前記コンテンツファイルには、前記複数のコンテンツファイル相互間の関係と、前記キーファイルとの関係とを示すディレクトリ構造データが含まれている
請求項１に記載のデータ提供システム。
【請求項１１】
管理装置によって管理され、データ処理装置にコンテンツデータを配給するデータ提供装置において、
暗号化されたコンテンツ鍵データと前記コンテンツデータの取り扱いを示す暗号化された権利書データとを格納したキーファイルを前記管理装置から受け、
前記コンテンツ鍵データを用いて暗号化されたコンテンツデータを格納したコンテンツファイルと、前記管理装置から受けた前記キーファイルとを格納したモジュールを前記データ処理装置に配給する
データ提供装置。
【請求項１２】
管理装置によって管理され、コンテンツデータを利用するデータ処理装置において、
暗号化されたコンテンツ鍵データと前記コンテンツデータの取り扱いを示す暗号化された権利書データとを格納したキーファイルと、前記コンテンツ鍵データを用いて暗号化されたコンテンツデータを格納したコンテンツファイルとを含むモジュールを受け、
前記権利書データに基づいて、前記コンテンツデータの購入形態および利用形態の少なくとも一方を決定し、当該決定した購入形態および利用形態の少なくとも一方の履歴を示す履歴データを前記管理装置に送信する
データ処理装置。
【請求項１３】
データ提供装置からデータ処理装置にコンテンツデータを配給し、管理装置によって前記データ提供装置および前記データ処理装置を管理するデータ提供方法において、
前記管理装置において、暗号化されたコンテンツ鍵データと前記コンテンツデータの取り扱いを示す暗号化された権利書データとを格納したキーファイルを作成し、
前記作成したキーファイルを前記管理装置から前記データ提供装置に配給し、
前記コンテンツ鍵データを用いて暗号化されたコンテンツデータを格納したコンテンツファイルと、前記管理装置から配給を受けた前記キーファイルとを格納したモジュールを、所定の通信プロトコルを用いて当該通信プロトコルに依存しない形式で、あるいは記録媒体に記録して前記データ提供装置から前記データ処理装置に配給し、
前記データ処理装置において、前記配給を受けた前記モジュールに格納された前記コンテンツ鍵データおよび前記権利書データを復号し、当該復号した権利書データに基づいて、前記コンテンツデータの取り扱いを決定する
データ提供方法。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
【課題を解決するための手段】
本発明のデータ提供システムは、データ提供装置からデータ処理装置にコンテンツデータを配給し、管理装置によって前記データ提供装置および前記データ処理装置を管理するデータ提供システムであって、前記管理装置は、暗号化されたコンテンツ鍵データと前記コンテンツデータの取り扱いを示す暗号化された権利書データとを格納したキーファイルを作成し、前記データ提供装置は、前記コンテンツ鍵データを用いて暗号化されたコンテンツデータを格納したコンテンツファイルと、前記管理装置から受けた前記キーファイルとを格納したモジュールを、所定の通信プロトコルを用いて当該通信プロトコルに依存しない形式で、あるいは記録媒体に記録して前記データ処理装置に配給し、前記データ処理装置は、前記配給を受けた前記モジュールに格納された前記コンテンツ鍵データおよび前記権利書データを復号し、当該復号した権利書データに基づいて、前記コンテンツデータの取り扱いを決定する。
【手続補正８】
【補正対象書類名】明細書
【補正対象項目名】００１７
【補正方法】変更
【補正の内容】
【００１７】
本発明のデータ提供システムの作用は以下に示すようになる。
管理装置において、暗号化されたコンテンツ鍵データと前記コンテンツデータの取り扱いを示す暗号化された権利書データとを格納したキーファイルが作成される。
そして、当該作成されたキーファイルが、前記管理装置から前記データ提供装置に配給される。
そして、前記コンテンツ鍵データを用いて暗号化されたコンテンツデータを格納したコンテンツファイルと、前記管理装置から受けた前記キーファイルとを格納したモジュールが、前記データ提供装置から前記データ処理装置に所定の通信プロトコルを用いて当該通信プロトコルに依存しない形式で、あるいは記録媒体に記録して配給される。
そして、前記データ処理装置において、前記配給を受けた前記モジュールに格納された前記コンテンツ鍵データおよび前記権利書データが復号され、当該復号された権利書データに基づいて、前記コンテンツデータの取り扱いが決定される。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】
【手続補正３５】
【補正対象書類名】明細書
【補正対象項目名】００４４
【補正方法】削除
【補正の内容】
【手続補正３６】
【補正対象書類名】明細書
【補正対象項目名】００４５
【補正方法】削除
【補正の内容】
【手続補正３７】
【補正対象書類名】明細書
【補正対象項目名】００４６
【補正方法】削除
【補正の内容】
【手続補正３８】
【補正対象書類名】明細書
【補正対象項目名】００４７
【補正方法】削除
【補正の内容】
【手続補正３９】
【補正対象書類名】明細書
【補正対象項目名】００４８
【補正方法】削除
【補正の内容】
【手続補正４０】
【補正対象書類名】明細書
【補正対象項目名】００４９
【補正方法】削除
【補正の内容】
【手続補正４１】
【補正対象書類名】明細書
【補正対象項目名】００５０
【補正方法】削除
【補正の内容】
【手続補正４２】
【補正対象書類名】明細書
【補正対象項目名】００５１
【補正方法】削除
【補正の内容】
【手続補正４３】
【補正対象書類名】明細書
【補正対象項目名】００５２
【補正方法】削除
【補正の内容】
【手続補正４４】
【補正対象書類名】明細書
【補正対象項目名】００５３
【補正方法】削除
【補正の内容】
【手続補正４５】
【補正対象書類名】明細書
【補正対象項目名】００５４
【補正方法】削除
【補正の内容】
【手続補正４６】
【補正対象書類名】明細書
【補正対象項目名】００５５
【補正方法】削除
【補正の内容】
【手続補正４７】
【補正対象書類名】明細書
【補正対象項目名】００５６
【補正方法】削除
【補正の内容】
【手続補正４８】
【補正対象書類名】明細書
【補正対象項目名】００５７
【補正方法】削除
【補正の内容】
【手続補正４９】
【補正対象書類名】明細書
【補正対象項目名】００５８
【補正方法】削除
【補正の内容】
【手続補正５０】
【補正対象書類名】明細書
【補正対象項目名】００５９
【補正方法】削除
【補正の内容】
【手続補正５１】
【補正対象書類名】明細書
【補正対象項目名】００６０
【補正方法】削除
【補正の内容】
【手続補正５２】
【補正対象書類名】明細書
【補正対象項目名】００６１
【補正方法】削除
【補正の内容】
【手続補正５３】
【補正対象書類名】明細書
【補正対象項目名】００６２
【補正方法】削除
【補正の内容】
【手続補正５４】
【補正対象書類名】明細書
【補正対象項目名】００６３
【補正方法】削除
【補正の内容】
【手続補正５５】
【補正対象書類名】明細書
【補正対象項目名】００６４
【補正方法】削除
【補正の内容】
【手続補正５６】
【補正対象書類名】明細書
【補正対象項目名】００６５
【補正方法】削除
【補正の内容】
【手続補正５７】
【補正対象書類名】明細書
【補正対象項目名】００６６
【補正方法】削除
【補正の内容】
【手続補正５８】
【補正対象書類名】明細書
【補正対象項目名】００６７
【補正方法】変更
【補正の内容】
【００６７】
また、本発明のデータ提供装置は、管理装置によって管理され、データ処理装置にコンテンツデータを配給するデータ提供装置において、暗号化されたコンテンツ鍵データと前記コンテンツデータの取り扱いを示す暗号化された権利書データとを格納したキーファイルを前記管理装置から受け、前記コンテンツ鍵データを用いて暗号化されたコンテンツデータを格納したコンテンツファイルと、前記管理装置から受けた前記キーファイルとを格納したモジュールを前記データ処理装置に配給する。
【手続補正５９】
【補正対象書類名】明細書
【補正対象項目名】００６８
【補正方法】変更
【補正の内容】
【００６８】
また、本発明のデータ処理装置は、管理装置によって管理され、コンテンツデータを利用するデータ処理装置において、暗号化されたコンテンツ鍵データと前記コンテンツデータの取り扱いを示す暗号化された権利書データとを格納したキーファイルと、前記コンテンツ鍵データを用いて暗号化されたコンテンツデータを格納したコンテンツファイルとを含むモジュールを受け、前記権利書データに基づいて、前記コンテンツデータの購入形態および利用形態の少なくとも一方を決定し、当該決定した購入形態および利用形態の少なくとも一方の履歴を示す履歴データを前記管理装置に送信する。
【手続補正６０】
【補正対象書類名】明細書
【補正対象項目名】００６９
【補正方法】削除
【補正の内容】
【手続補正６１】
【補正対象書類名】明細書
【補正対象項目名】００７０
【補正方法】変更
【補正の内容】
【００７０】
また、本発明のデータ提供方法は、データ提供装置からデータ処理装置にコンテンツデータを配給し、管理装置によって前記データ提供装置および前記データ処理装置を管理するデータ提供方法であって、前記管理装置において、暗号化されたコンテンツ鍵データと前記コンテンツデータの取り扱いを示す暗号化された権利書データとを格納したキーファイルを作成し、前記作成したキーファイルを前記管理装置から前記データ提供装置に配給し、前記コンテンツ鍵データを用いて暗号化されたコンテンツデータを格納したコンテンツファイルと、前記管理装置から配給を受けた前記キーファイルとを格納したモジュールを、所定の通信プロトコルを用いて当該通信プロトコルに依存しない形式で、あるいは記録媒体に記録して前記データ提供装置から前記データ処理装置に配給し、
前記データ処理装置において、前記配給を受けた前記モジュールに格納された前記コンテンツ鍵データおよび前記権利書データを復号し、当該復号した権利書データに基づいて、前記コンテンツデータの取り扱いを決定する。
【手続補正６２】
【補正対象書類名】明細書
【補正対象項目名】００７１
【補正方法】削除
【補正の内容】
【手続補正６３】
【補正対象書類名】明細書
【補正対象項目名】００７２
【補正方法】削除
【補正の内容】
【手続補正６４】
【補正対象書類名】明細書
【補正対象項目名】００７３
【補正方法】削除
【補正の内容】
【手続補正６５】
【補正対象書類名】明細書
【補正対象項目名】００７４
【補正方法】削除
【補正の内容】
【手続補正６６】
【補正対象書類名】明細書
【補正対象項目名】００７５
【補正方法】削除
【補正の内容】
【手続補正６７】
【補正対象書類名】明細書
【補正対象項目名】００７６
【補正方法】削除
【補正の内容】
【手続補正６８】
【補正対象書類名】明細書
【補正対象項目名】００７７
【補正方法】削除
【補正の内容】
【手続補正６９】
【補正対象書類名】明細書
【補正対象項目名】００７８
【補正方法】削除
【補正の内容】
【手続補正７０】
【補正対象書類名】明細書
【補正対象項目名】００７９
【補正方法】削除
【補正の内容】
【手続補正７１】
【補正対象書類名】明細書
【補正対象項目名】００８０
【補正方法】削除
【補正の内容】
【手続補正７２】
【補正対象書類名】明細書
【補正対象項目名】００８１
【補正方法】削除
【補正の内容】
【手続補正７３】
【補正対象書類名】明細書
【補正対象項目名】００８２
【補正方法】削除
【補正の内容】
【手続補正７４】
【補正対象書類名】明細書
【補正対象項目名】００８３
【補正方法】削除
【補正の内容】
【手続補正７５】
【補正対象書類名】明細書
【補正対象項目名】００８４
【補正方法】削除
【補正の内容】
【手続補正７６】
【補正対象書類名】明細書
【補正対象項目名】００８５
【補正方法】削除
【補正の内容】
【手続補正７７】
【補正対象書類名】明細書
【補正対象項目名】００８６
【補正方法】削除
【補正の内容】
【手続補正７８】
【補正対象書類名】明細書
【補正対象項目名】００８７
【補正方法】削除
【補正の内容】
【手続補正７９】
【補正対象書類名】明細書
【補正対象項目名】００８８
【補正方法】削除
【補正の内容】
【手続補正８０】
【補正対象書類名】明細書
【補正対象項目名】００８９
【補正方法】削除
【補正の内容】
【手続補正８１】
【補正対象書類名】明細書
【補正対象項目名】００９０
【補正方法】削除
【補正の内容】
【手続補正８２】
【補正対象書類名】明細書
【補正対象項目名】００９１
【補正方法】削除
【補正の内容】
【手続補正８３】
【補正対象書類名】明細書
【補正対象項目名】００９２
【補正方法】削除
【補正の内容】
【手続補正８４】
【補正対象書類名】明細書
【補正対象項目名】００９３
【補正方法】削除
【補正の内容】
【手続補正８５】
【補正対象書類名】明細書
【補正対象項目名】００９４
【補正方法】削除
【補正の内容】
【手続補正８６】
【補正対象書類名】明細書
【補正対象項目名】００９５
【補正方法】削除
【補正の内容】
【手続補正８７】
【補正対象書類名】明細書
【補正対象項目名】００９６
【補正方法】削除
【補正の内容】
【手続補正８８】
【補正対象書類名】明細書
【補正対象項目名】００９７
【補正方法】削除
【補正の内容】
【手続補正８９】
【補正対象書類名】明細書
【補正対象項目名】００９８
【補正方法】削除
【補正の内容】
【手続補正９０】
【補正対象書類名】明細書
【補正対象項目名】００９９
【補正方法】削除
【補正の内容】
【手続補正９１】
【補正対象書類名】明細書
【補正対象項目名】０１００
【補正方法】削除
【補正の内容】
【手続補正９２】
【補正対象書類名】明細書
【補正対象項目名】０１０１
【補正方法】削除
【補正の内容】
【手続補正９３】
【補正対象書類名】明細書
【補正対象項目名】０１０２
【補正方法】削除
【補正の内容】
【手続補正９４】
【補正対象書類名】明細書
【補正対象項目名】０１０３
【補正方法】削除
【補正の内容】
【手続補正９５】
【補正対象書類名】明細書
【補正対象項目名】０１０４
【補正方法】削除
【補正の内容】
【手続補正９６】
【補正対象書類名】明細書
【補正対象項目名】０１０５
【補正方法】削除
【補正の内容】
【手続補正９７】
【補正対象書類名】明細書
【補正対象項目名】０１０６
【補正方法】削除
【補正の内容】